(57)【特許請求の範囲】
【請求項１】
第１移動体無線システム（２Ｇ）の第１移動体サービス交換局（２ＧＭＳＣ）と第２移動体無線システム（３Ｇ）の第２移動体サービス交換局（３ＧＭＳＣ）との間のデータ伝送のための方法（１００）であって、
第１および第２移動体サービス交換局（２ＧＭＳＣ、３ＧＭＳＣ）が、有用なデータが可変の有用データ伝送速度で伝送されるインターフェース（Ａ＊）を介して接続され（１１０）、
有用なデータが、データフレームワーク（Ｆ１、Ｆ２）で伝送され（１２０）、
該データフレームワーク（Ｆ１、Ｆ２）が、事前に決定された一定の数のデータフィールド（１Ｄ１．．．１Ｄ３６；２Ｄ１．．．２Ｄ３６；．．．；８Ｄ１．．．８Ｄ３６）を含み、これにより、最初に、伝送される有用なデータの量に応じて、事前に決定された一定の数のデータフィールドの少なくとも一部（１Ｄ１．．．４Ｄ１９）が有用なデータで最初に符号化され（１２２）、その後、事前に決定された一定の数のデータフィールドの残りの部分（４Ｄ２０．．．８Ｄ３６）がダミービットで符号化され（１２３）、
少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示し、
第１データフレームワーク（Ｆ１）内の信号ビット（Ｍ１）により示された第１データフレームワーク（Ｆ１）の表示ビット（Ｎ１、Ｎ２、．．．）が、第２データフレームワーク（Ｆ２）内の信号ビット（Ｍ１）により示された第２データフレームワーク（Ｆ２）の表示ビット（Ｎ６、Ｎ７、．．．）とともに、組み合わされたデータフレームワーク（Ｆ１、Ｆ２）が有用なデータで充填される点の位置を示すアドレスを示し、第１データフレームワーク（Ｆ１）の第１データフィールド（１Ｄ１）から開始され、組み合わされたデータフレームワーク（Ｆ１、Ｆ２）のデータフィールドが、伝送される有用なデータで次々に充填され（１２２）、必要に応じて、残りのデータフィールドがダミービット（１２３）で充填される、データ伝送のための方法（１００）。
【請求項２】
表示ビット（Ｎ１、Ｎ２、．．．）が各データフレームワーク（Ｆ１）に入力され（１２４）、伝送される有用なデータで符号化されるデータフィールドの前記一部（１Ｄ１．．．４Ｄ１９）、および／または、ダミービットで符号化されるデータフィールドの残りの部分（４Ｄ２０．．．８Ｄ３６）を示す請求項１に記載の方法（１００）。
【請求項３】
第１データフィールド（１Ｄ１）から開始され、データフィールドが、伝送される有用なデータで連続して充填され（１２２）、
必要に応じて、残りのデータフィールド（４Ｄ２０．．．８Ｄ３６）がダミービットで充填され（１２３）、
各データフレームワーク（Ｆ１）が、表示ビット（Ｎ１、Ｎ２、．．．）が入力される先頭フィールドを含み（１２４）、表示ビットが、データフレームワーク（Ｆ１）が有用なデータで充填されるデータフレームワーク（Ｆ１）内の点の位置を示すアドレスを示す請求項２に記載の方法（１００）。
【請求項４】
第１移動体無線システム（２Ｇ）を介して動作される無線加入者ユニット（Ｍ）が、第２移動体無線システム（３Ｇ）にハンドオーバされ、インターフェース（Ａ＊）を介して無線加入者ユニット（Ｍ）によって送られ、受け取られる有用なデータが、透過的に、データフレームワーク（Ｆ１、Ｆ２）内で伝送され（１２０）、これにより、表示ビット（Ｎ１、Ｎ２、．．．）が、伝送される有用なデータで符号化されるデータフィールド（１Ｄ１．．．４Ｄ１９）、および／または、ダミービットで符号化されるデータフィールド（４Ｄ２０．．．８Ｄ３６）を示す請求項１に記載の方法（１００）。
【請求項５】
第２移動体無線システム（３Ｇ）を介して動作される無線加入者ユニット（Ｍ）が、第１移動体無線システム（２Ｇ）にハンドオーバされ、インターフェース（Ａ＊）を介して無線加入者ユニット（Ｍ）によって送られ、受け取られる有用なデータが、非透過的に、様々なデータリンクプロトコル（ＲＬＰ）から選択できるデータリンクプロトコルを使用して伝送され、これにより、制御ビット（Ｃ１、Ｃ２、．．．）が、データフレームワーク（Ｆ）に入力され、選択されたデータリンクプロトコル（Ｖ１１０）を示し、
データフレームワーク（Ｆ）のデータフィールド（１Ｄ１．．．８Ｄ３６）が、選択されたデータリンクプロトコル（ＲＬＰ）を使用して、有用なデータで符号化される請求項１に記載の方法。
【請求項６】
インターフェーススイッチ（２ＧＩＦ）を備えた第１移動体無線システム（２Ｇ）のための移動体サービス交換局（２ＧＭＳＣ）であって、
第２移動体無線システム（３Ｇ）の第２移動体サービス交換局（３ＧＭＳＣ）と有用なデータを交換し、インターフェーススイッチ（２ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示し、
第１データフレームワーク（Ｆ１）内の信号ビット（Ｍ１）により示された第１データフレームワーク（Ｆ１）の表示ビット（Ｎ１、Ｎ２、．．．）が、第２データフレームワーク（Ｆ２）内の信号ビット（Ｍ１）により示された第２データフレームワーク（Ｆ２）の表示ビット（Ｎ６、Ｎ７、．．．）とともに、組み合わされたデータフレームワーク（Ｆ１、Ｆ２）が有用なデータで充填される点の位置を示すアドレスを示し、第１データフレームワーク（Ｆ１）の第１データフィールド（１Ｄ１）から開始され、組み合わされたデータフレームワーク（Ｆ１、Ｆ２）のデータフィールドが、伝送される有用なデータで次々に充填され（１２２）、必要に応じて、残りのデータフィールドがダミービット（１２３）で充填される、移動体サービス交換局（２ＧＭＳＣ）。
【請求項７】
インターフェーススイッチ（３ＧＩＦ）を備えた第２移動体無線システム（３Ｇ）のための移動体サービス交換局（３ＧＭＳＣ）であって、
インターフェーススイッチ（３ＧＩＦ）が、第１移動体無線システム（２Ｇ）の第１移動体サービス交換局（２ＧＭＳＣ）と有用なデータを交換し、インターフェーススイッチ（３ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．８Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示し、
第１データフレームワーク（Ｆ１）内の信号ビット（Ｍ１）により示された第１データフレームワーク（Ｆ１）の表示ビット（Ｎ１、Ｎ２、．．．）が、第２データフレームワーク（Ｆ２）内の信号ビット（Ｍ１）により示された第２データフレームワーク（Ｆ２）の表示ビット（Ｎ６、Ｎ７、．．．）とともに、組み合わされたデータフレームワーク（Ｆ１、Ｆ２）が有用なデータで充填される点の位置を示すアドレスを示し、第１データフレームワーク（Ｆ１）の第１データフィールド（１Ｄ１）から開始され、組み合わされたデータフレームワーク（Ｆ１、Ｆ２）のデータフィールドが、伝送される有用なデータで次々に充填され（１２２）、必要に応じて、残りのデータフィールドがダミービット（１２３）で充填される、移動体サービス交換局（３ＧＭＳＣ）。
【請求項８】
第１移動体無線システム（２Ｇ）の移動体サービス交換局（２ＧＭＳＣ）のためのインターフェーススイッチ（２ＧＩＦ）であって、
第２移動体無線システム（３Ｇ）の第２移動体サービス交換局（３ＧＭＳＣ）と有用なデータを交換し、インターフェーススイッチ（２ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．８Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示し、
第１データフレームワーク（Ｆ１）内の信号ビット（Ｍ１）により示された第１データフレームワーク（Ｆ１）の表示ビット（Ｎ１、Ｎ２、．．．）が、第２データフレームワーク（Ｆ２）内の信号ビット（Ｍ１）により示された第２データフレームワーク（Ｆ２）の表示ビット（Ｎ６、Ｎ７、．．．）とともに、組み合わされたデータフレームワーク（Ｆ１、Ｆ２）が有用なデータで充填される点の位置を示すアドレスを示し、第１データフレームワーク（Ｆ１）の第１データフィールド（１Ｄ１）から開始され、組み合わされたデータフレームワーク（Ｆ１、Ｆ２）のデータフィールドが、伝送される有用なデータで次々に充填され（１２２）、必要に応じて、残りのデータフィールドがダミービット（１２３）で充填される、インターフェーススイッチ（２ＧＩＦ）。
【請求項９】
第２移動体無線システム（３Ｇ）の移動体サービス交換局（３ＧＭＳＣ）のためのインターフェーススイッチ（３ＧＩＦ）であって、
第１移動体無線システム（２Ｇ）の第１移動体サービス交換局（２ＧＭＳＣ）と有用なデータを交換し、インターフェーススイッチ（３ＧＩＦ）が、データフレームワーク（Ｆ１、Ｆ２）内で可変の有用データ伝送速度で有用なデータを送り、また受け取り、これにより、各データフレームワーク（Ｆ１）が、事前に決定された一定の数のデータフィールド（１Ｄ１．．．１Ｄ３６；２Ｄ１．．．２Ｄ３６；．．．；８Ｄ１．．．８Ｄ３６）を含み、伝送される有用なデータの量に応じて、事前に決定された一定の数のデータフィールドの少なくとも一部（１Ｄ１．．．４Ｄ１９）が有用なデータで符号化され、事前に決定された一定の数のデータフィールドの残りの部分（４Ｄ２０．．．８Ｄ３６）がダミービットで符号化され、これにより、少なくとも２つの連続したデータフレームワーク（Ｆ１、Ｆ２）が組み合わされ（１２１）、
信号ビット（Ｍ１）がデータフレームワーク（Ｆ１、Ｆ２）のそれぞれに入力され、信号ビットが２つのデータフレームワークの第１（Ｆ１）であるか、第２（Ｆ２）であるかを示し、
第１データフレームワーク（Ｆ１）内の信号ビット（Ｍ１）により示された第１データフレームワーク（Ｆ１）の表示ビット（Ｎ１、Ｎ２、．．．）が、第２データフレームワーク（Ｆ２）内の信号ビット（Ｍ１）により示された第２データフレームワーク（Ｆ２）の表示ビット（Ｎ６、Ｎ７、．．．）とともに、組み合わされたデータフレームワーク（Ｆ１、Ｆ２）が有用なデータで充填される点の位置を示すアドレスを示し、第１データフレームワーク（Ｆ１）の第１データフィールド（１Ｄ１）から開始され、組み合わされたデータフレームワーク（Ｆ１、Ｆ２）のデータフィールドが、伝送される有用なデータで次々に充填され（１２２）、必要に応じて、残りのデータフィールドがダミービット（１２３）で充填される、インターフェーススイッチ（３ＧＩＦ）。
【発明の詳細な説明】
【０００１】
よく知られる移動体無線システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、移動体通信用グローバルシステム）などのいわゆる第２世代に属する現行の移動体無線システムを基礎として、いわゆる第３世代向けにＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ユニバーサル移動体通信システム）移動体無線システムなどの全世界の通信産業の協力を通じて、現在、開発され、標準化されつつある新しい移動体無線システムが開発されている。従来の移動体無線システム、特にＧＳＭと比較して、ＵＭＴＳは、さらに高速で柔軟な伝送速度を特徴としなければならない。パッケージ指向の交換技術、特にＡＴＭもＵＭＴＳに含まれることが好ましい。対照的に、サービス指向の交換技術は、主に現行の移動体無線システムで使用されている。
【０００２】
「Ｆｕｎｋｓｈａｕ」（Ｒａｄｉｏ  Ｓｈｏｗ）誌（第７／９９巻、ＷＥＫＡ−Ｖｅｒｌａｇ、Ｐｏｉｎｇ、ドイツ）に発表された、Ｍ．ＫｉｅｎとＳ．Ｇｎｅｉｔｉｎｇによる「Ｍｏｂｉｌｆｕｎｋ  ｄｅｒ  ｄｒｉｔｔｅｎ  Ｇｅｎｅｒａｔｉｏｎ」（第３世代の移動体無線）に、著者は、新しい移動体無線システムであるＵＭＴＳが、現行の移動体無線システムへの付加物として構築され、開発されるべきであると書いている。これは異なった移動体無線システムの単なる共存を意味するものではないであろう。むしろ、１つの同じ無線加入者ユニットが異なった移動体無線システムで動作することができるように、異なった世代の移動体無線システムが組み合わされるべきである。このような加入者ユニットは、「マルチモード可能」加入者ユニットとして知られている。これは、異なった移動体無線システムでユニットを動作することが可能であるだけでなく、動作中、特に会話またはデータが伝送されている間に、１つの移動体無線システムから別の移動体無線システムへユニットをハンドオーバすることが可能であるべきである。
【０００３】
本発明の目的は、異なった移動体無線システムが、できるだけ単純にともに接続することができ、冒頭で述べた技術的条件を達成する方法と装置を提案することである。
【０００４】
この目的は、特許請求項１による特徴を備えた方法と、移動体サービス交換局、並びに、従属請求項の１つの特徴を備えたインターフェーススイッチによって達成される。
【０００５】
したがって、第１移動体無線システムの第１移動体サービス交換局と、第２移動体無線システムの第２移動体サービス交換局との間のデータ伝送の方法が提案される。ここで、移動体サービス交換局は、インターフェースによって接続されており、インターフェースを介して、有用なデータが可変の有用データ伝送速度で伝送され、この有用なデータが、事前に決定された一定の数のデータフィールドを含むデータフレームワークで伝送され、伝送された有用なデータの量によって、先ず、データフィールドの少なくとも一部が有用なデータとともに符号化され、次に、データフィールドの残りの部分がダミービットとともに符号化される。
【０００６】
さらに、インターフェーススイッチを備えた移動体無線システムのために、移動体サービス交換局が提案される。移動体サービス交換局は、有用なデータを他の移動体無線システムの他の移動体サービス交換局と交換し、インターフェーススイッチが、有用なデータをデータフレームワーク内で可変の有用データ伝送速度で送り、また受け取る。ここで、各データフレームワークは、事前に決定された一定の数のデータフィールドを含み、伝送される有用なデータの量によって、事前に決定された一定の数のデータフィールドの少なくとも一部が先ず有用なデータとともに符号化され、次に事前に決定された一定の数のデータフィールドの残りの部分がダミービットとともに符号化される。
【０００７】
同様に、本発明は、移動体無線システムの移動体サービス交換局のためのインターフェーススイッチも提案する。移動体サービス交換局は、有用なデータを他の移動体無線システムの他の移動体サービス交換局と交換し、インターフェーススイッチが、有用なデータをデータフレームワーク内で可変の有用データ伝送速度で送り、また受け取る。ここで、各データフレームワークは、事前に決定された一定の数のデータフィールドを含み、伝送される有用なデータの量によって、事前に決定された一定の数のデータフィールドの少なくとも一部が先ず有用なデータとともに符号化され、次に事前に決定された一定の数のデータフィールドの残りの部分がダミービットとともに符号化される。
【０００８】
本発明によって提案された方法を介すれば、異なった移動体無線システムの移動体サービス交換局は、可変の正味移動速度である可変の有用データ伝送速度で、有用なデータを交換することができるが、これにより、事前に決定された一定の数のデータフィールドを備えたデータフレームワークが使用される。他方、データフィールドの数によって決定される固定された総伝送速度を備えた接続が、移動体サービス交換局間に作成される。この接続は、サービス指向のスイッチング技術を使用してスイッチングすることができ、これにより、単純で、ほとんど旧式になった移動体サービス交換局を使用することも可能である。伝送される有用なデータ、または、ダミービットのいずれかでデータフィールドを充填することによって、データフレームワークは、一般に、瞬間的な有用データ伝送速度に必要な点までペイロードで充填されるだけである。これは、ほとんど経費をかけずに、パッケージ指向の技術に調整することができる、可変の正味伝送速度を備えた接続を作成する。本発明は、特に、無線加入者ユニットを１つの移動体無線システムから他の移動体無線システムにハンドオーバすることによく適合し、特にこのハンドオーバが、サービス指向の技術からパッケージ指向の技術への変化を含む場合によく適合する。
【０００９】
本発明の特に優れた１つの実施形態は、従属請求項に帰する。
【００１０】
これらの請求項によれば、少なくとも２つの連続したデータフレームワークを組み合わせることが特に有利である。これにより、関連するデータフレームワークの信号ビットは、それが２つのデータフレームワークの第１のものであるか第２のものであるかを示す。これは、さらに大きな数の書き込み可能なデータフィールドを備えた二重または多重フレームワークを作成し、正味伝送速度の変化の範囲をさらに広げる。
【００１１】
他の特別な長所は、第１データフレームワークの第１データフィールドから開始され、組み合わされたデータフレームワークのデータフィールドが、伝送される有用なデータとともに連続的に符号化され、残りのデータフィールドが必要に応じてダミービットとともに符号化された場合、および、第１データフレームワークの表示ビットが、第２データフレームワークの表示ビットとともに、組み合わされたデータフレームワークが、有用なデータとともに符号化される位置を示すアドレスを示す場合に発揮される。これらの方法を通じて、有用なデータは、相互接続されたデータブロックに符号化され、このブロックの開始が知られ、終了は有用なデータの量によって決定される。伝送された有用なデータにアクセスするために、表示ビットでデータブロックの終了を示すことのみが必要である。
【００１２】
さらに、特別な長所は、第２移動体無線システムで動作している無線加入者ユニットが、第１の移動体無線システムにハンドオーバされ、インターフェースを介して無線加入者ユニットによって送られ、受け取られた有用なデータが透過的に伝送され、これにより、表示ビットが、伝送される有用なデータとともに符号化されるデータフィールドを示す場合、および／または、ダミービットとともに符号化されるデータフィールドを示す場合に発揮される。これらの方法は、サービス指向のスイッチング技術を使用したシステムから、パッケージ指向のスイッチング技術を使用したシステムへの迅速なハンドオーバを見越したものである。
【００１３】
他の長所は、第２移動体無線システムで動作する無線加入者ユニットが、第１移動体無線システムで動作するユニットにハンドオーバされ、インターフェースを介して無線加入者ユニットによって送られ、受け取られる有用なデータが、非透過的に、様々なデータリンクプロトコルから選択されたデータリンクプロトコルに従って伝送される場合、および、データフレームワークのデータフィールドが有用なデータとともに符号化される、選択されたデータリンクプロトコルを示す制御ビットが、データフレームワークに入力される場合に発揮される。これらの方法は、パッケージ指向のスイッチング技術を使用したシステムから、サービス指向のスイッチング技術を使用したシステムへの迅速なハンドオーバを見越したものである。
【００１４】
本発明について、以下の図面に描かれた実施形態の例を使用して詳細に説明する。
【００１５】
図１は、本発明による、インターフェースＡ＊を介して互いに接続された第１移動体無線システム２Ｇおよび第２移動体無線システム３Ｇを示す。さらに、図１は、マルチモード可能で、第１移動体無線システム２Ｇによって最初に処理され、続いて第２移動体無線システム３Ｇにハンドオーバされる無線加入者ユニットＭを示す。本例の第１移動体無線システム２Ｇは、基地局ＢＳを備えたＧＳＭ標準に基づく移動体無線システムであり、基地局ＢＳには基地局制御装置ＢＳＣが取り付けられ、基地局制御装置ＢＳＣに移動体サービス交換局２ＧＭＳＣが取り付けられている。簡略化のために、これらの設備の１つについて以下に示す。
【００１６】
基地局ＢＳと基地局制御装置ＢＳＣは、インターフェースＡを介して、移動体サービス交換局２ＧＭＳＣに接続された、いわゆる基地局サブシステムＢＳＳを構成する。これは、次に、主にサービス指向スイッチング技術を使用する、公共通信ネットワークＰＳＴＮへの接続を形成する。
【００１７】
図１に示す第２移動体無線システム３Ｇは、基地局ＮＢを備えたＵＭＴＳ標準に基づいた移動体無線システムであり、基地局ＮＢには、無線ネットワーク制御装置ＲＮＣが取り付けられ、無線ネットワーク制御装置ＲＮＣが移動体サービス交換局３ＧＭＳＣに接続されている。これらの設備の１つのみを以下に示す。
【００１８】
基地局ＮＢは、無線ネットワーク制御装置ＲＮＣとともにサブシステムＵＴＲＡＮを構成し、サブシステムＵＴＲＡＮは、インターフェースＩＵを介して、移動体サービス交換局３ＧＭＳＣに接続される。これは、次に、主にパッケージ指向のスイッチング技術に基づいている、公共通信ネットワークへの接続を形成することができる。パッケージ指向のデータ伝送は、いわゆるＡＡＬ２（非同期転送モード適合層２）を使用してインターフェースＩＵ上で実行される。
【００１９】
２つの移動体無線システムは、本発明に従ってインターフェースＡ＊を介して接続される。第１移動体サービス交換局２ＧＭＳＣは、インターフェーススイッチ２ＧＩＦを有し、第２移動体サービス交換局３ＧＭＳＣは、インターフェーススイッチ３ＧＩＦを有する。両方のインターフェーススイッチは、６４キロビット／秒の回線を介して接続される。
【００２０】
以下にさらに詳細に説明される本発明によれば、データは、２つの移動体無線フレームワークの間で伝送される。これは、特に、無線加入者ユニットＭが、１つの移動体無線システム２Ｇまたは３Ｇから、他の移動体無線システム３Ｇまたは２Ｇにハンドオーバされると想定される場合である。
【００２１】
図１は、第１移動体無線システム２Ｇから第２移動体無線システム３Ｇにハンドオーバされる、無線加入者ユニットＭの線図である。加入者ユニットＭは、初期には、第１移動体無線システム２Ｇと無線コンタクトしている。公共通信ネットワークＰＳＴＮへの接続は、第１移動体サービス交換局２ＧＭＳＣを介して作成される。加入者ユニットＭが、第１移動体無線システム２Ｇのサービスエリアから、第２移動体無線システム３Ｇのサービスエリアに変化する場合、公共通信ネットワークＰＳＴＮへの接続は維持されなければならない。したがって、第１移動体サービス交換局２ＧＭＳＣは、いわゆる「アンカーＭＳＣ」として機能する。
【００２２】
したがって、ハンドオーバは、無線加入者ユニットＭと公共通信ネットワークＰＳＴＮの加入者ユニットとの間の端末相互接続を含む。ハンドオーバの後、この接続は、第２移動体サービス交換局３ＧＭＳＣを通じ、接続Ａ＊を介して、公共通信ネットワークＰＳＴＮに接続されたままである第１移動体サービス交換局２ＧＭＳＣへ経路設定される。
【００２３】
このために、データ、特に加入者ユニットＭによって受け取られ、送られる有用なデータは、図２においてさらに詳細に説明される方法に従って、インターフェースＡ＊を介して伝送される。
【００２４】
図２は、２つの移動体無線フレームワーク２Ｇおよび３Ｇ間の図１に示す本発明によるデータ伝送方法のフローチャートを示す。この方法１００は、１１１から１３０のステップを含む。この方法の開始Ｓの後、第１のステップ１１１が実行される。ステップ１１１では、第１移動体サービス交換局２ＧＭＳＣが、Ａ＊を介して、第２移動体サービス交換局への接続を作成し、第２移動体サービス交換局が、次に、新しい無線ネットワーク制御装置ＲＮＣへの接続を作成する。この動作の際に、信号チャネルは最初にスイッチングされ、信号チャネルを介して、加入者ユニットＭは、第２移動体無線システム３Ｇへの新しい接続を、ユニットＭ自身を第２移動体無線システム３Ｇへ登録するために再開することができる。登録が成功した後、第１移動体サービス交換局と基地局制御装置ＢＳＣとの間の接続は、次のステップ１１２で切られる。そのため、有用なデータは、この時点で、第２移動体無線システム３ＧとインターフェースＡ＊を介して伝送される。有用なデータの伝送は、サブステップ１２１から１２６に分割されている次のステップ１２０で行う。
【００２５】
Ｆ１およびＦ２に対するデータの伝送に使用されるデータフレームワークを、図３Ａおよび３Ｂに示す。以下の内容はこれらの図について述べている。最初のサブステップ１２１では、二重のフレームワークが作成され、その各々は、２つのデータフレームワークＦ１およびＦ２を含む。各データフレームワークはヘッドフィールドを含み、これは表示ビットＮ１、Ｎ２．．．および返答ビットＭ１、ＳＢとともに符号化される。二重のフレームワークは、第１フレームワークＦ１の返答ビットＭ１を論理０に、および、第２データフレームワークＦ２の返答ビットＭ１を論理１に設定することにより作成される。したがって、この返答ビットは、これが第１データフレームワークにあるのか、または、第２データフレームワークにあるのかを示す。さらに、第１データフレームワークＦ１の表示ビットＮ１からＮ５は、第２データフレームワークＦ２の表示ビットＮ６からＮ１０に組み合わされて、アドレスに対応した１０段階評価のデータ項目を構成する。このアドレスの機能は、サブステップ１２４に基づいてさらに詳細に説明される。
【００２６】
次のサブステップ１２２において、二重フレームワークのデータフィールドは、第１データフレームワークＦ１の第１データフィールド１Ｄ１から開始されて、有用なデータで充填される。データフレームワークＦ１およびＦ２の双方が、２８８ビットに相当するデータフィールド１Ｄ１から８Ｄ３６を含むため、２×２８８＝５７６ビットが利用できる。これらのデータフィールドは、有用なデータビットで充填されている。図３Ａの例において、データフィールド１Ｄ１から４Ｄ１９を含み、それまでのデータフィールドのみが充填され、合計（３×３６＋１９）ビット＝１２７ビットを備えた、接続されたデータブロックＩを作り出す。これより多くの利用可能な有用なデータビットがないブロックＩＩは、残りのデータフィールドで構成され、データブロックＩに接続される。したがって、図３に示す二重フレームワークの容量の１２７／５７６＝２２％のみが利用される。二重フレームワークあたり６４０ビットの総量から見ると、この値はわずか１２７／６４０＝１９．８％にしかならない。しかし、この利用率は、必要な有用データ伝送速度に対して調整することができる。
【００２７】
次のサブステップ１２３において、ブロックＩＩはダミービットで充填される。したがって、二重フレームワーク内の全てのデータフィールドは符号化される。
【００２８】
次のサブステップ１２４において、表示ビットＮ１からＮ１０は、それらが、第１データフレームワークＦ１内のデータフィールドＤ４Ｄ１９のためのアドレスを示すように設定される。このアドレスは、有用データブロックＩの終端の位置を示す。このアドレスは、二重フレームワークを受信した装置が、ここに保存された有用なデータに迅速にアクセスすることを可能にする。
【００２９】
データフレームワークＦ１およびＦ２の構造は、ＧＳＭ標準のいわゆるＡ−ＴＲＡＵフレームワークとは異なっている。Ａ−ＴＲＡＵフレームワークとは対照的に、ここに示すフレームワークは、必要な量までのみが有用なデータビットで充填される。ここで述べたＮ１からＮ１０ビットは、「レベル表示」としてのみ機能する。各フレームワークは、有用なデータの０から２８８ビットで柔軟に充填することができる。加えて、充填することが可変であるため、いわゆるＮＩＣ（Ｎｅｔｗｏｒｋ  Ｉｎｄｅｐｅｎｄｅｎｔ  Ｃｌｏｃｋｉｎｇ、ネットワーク独立クロッキング）ビットは、ＧＳＭ標準のようには要求されない。さらに、ここに述べる二重フレームワークは、透過的および非透過的データ伝送の双方に使用される。これをＡ−ＴＲＡＵフレームワーク構造と区別するため、新しいフレームワーク構造は、「Ａ−ＴＲＡＵ＊」とラベル付けしなければならない。
【００３０】
続いて、サブステップ１２５において、この二重フレームワークは、図１に示すインターフェースＡ＊を介して送られる。現行のデータフィールドの数が固定されているため、この場合は２８８ビット／フレームワーク、総トランザクションレートも事前に決定される。ここでは、これが６４キロビット／秒になる。したがって、各６４０ビットの１００個の二重フレームワークが、毎秒伝送される。データフィールドが、要求されたように有用なデータで充填されているため、正味トランザクションレートは柔軟であり、０から５７．６キロビット／秒の間の値を取れる。
【００３１】
サブステップ１２６において、受信機は、二重フレームワークＦ１＋Ｆ２を受信し、表示ビットＮ１からＮ１０によって、有用なデータブロックＩがどのくらい大きいかを瞬時に知る。したがって、受信した装置は有用なデータに即座にアクセスできる。ダミービットは拒絶される。これは、本発明の方法１００のサブステップ１２０に従った二重フレームワークの伝送の終了を示す。このステップは、伝送する有用なデータがなくなり、接続が終了されるまで、各追加の二重フレームワークについて繰り返し行われる。
【００３２】
続いて、ステップ１３０において、加入者ユニットＭと第２移動体無線システム３Ｇの間の接続が終了される。このステップは方法を完了させる。
【００３３】
図２に示す方法は、第１移動体無線システム２Ｇから第２移動体無線システム３Ｇへの加入者ユニットのハンドオーバについてのものである。
【００３４】
本発明の他の実施形態として、図４は、第２移動体無線システム３Ｇから第１移動体無線システム２Ｇへの加入者ユニットのハンドオーバ中の、本発明による、インターフェースＡ＊を介したデータの伝送のためのデータフレームワークＦを示す。この場合、有用なデータは、異なった手法に従ってデータフレームワークで符号化される。データフレームワークＦは、データフレームワークのヘッドフィールドで符号化され、特定のデータリンク手法を示す制御ビットＣ１からＣ４を含む。ここで使用されるデータリンク手法は、ＧＳＭ標準に因み、「ｒａｄｉｏ  ｃｏｎｎｅｃｔｉｏｎ  ｐｒｏｔｏｃｏｌ、無線接続プロトコル」、または、略称ＲＬＰと名付けられる。このプロトコルによれば、いわゆるＲＬＰフレームワークは、５７６ビットまたは２４０ビットとして伝送される。長いＲＬＰフレームワークを転送させる時は、２８８ビットの２つの単一のフレームワークが完全に充填される。長さ２４０ビットの短いフレームワークについては、１つの単一のフレームワークのみが部分的に充填される。
【００３５】
制御ビットＣ１からＣ４は、２つのデータリンクメカニズムのどちらが使用されているかを示す。この例においては、（ＯＳＩ層２上の）ＲＬＰプロトコルが使用される。つまり、データフィールド１Ｄ１から７Ｄ２４は、２４０ビットの有用なデータとともに符号化される。これらのデータフィールドは、第１データブロックＩを構成する。残りのデータフィールド７Ｄ２５から８Ｄ３６は、ダミービットとともに符号化され、第２データブロックＩＩを構成する。これらの手段を介して、データの非透過性伝送のためのＲＬＰプロトコルに従って、長さ２４０ビットのフレームワークとともに、データリンクメカニズムを使用することができる。さらに、データリンクメカニズムとして５７６ビットのフレームワーク長さを持つＲＬＰプロトコルを使用することも可能である。これにより、２つの連続的なフレームワークが、５７６ビットの有用なデータとともにそれぞれ符号化される。制御ビットＣ１からＣ４は、異なったデータリンクメカニズムのどの１つが使用されるかを示す。ＲＬＰプロトコルに従って選択されたデータリンクメカニズムのタイプ、つまり、選択されたＲＬＰフレームワークの長さは、物理層（ＯＳＩ層１）上で使用されるプロトコルに依存する。ここで、いわゆるＶ．１１０プロトコルとＡ−ＴＲＡＵプロトコルのいずれかが使用される。制御ビットＣ１からＣ４は、これに従って設定される。追加のＣ５ビットは、誤り検出のために確保される。
【００３６】
データの伝送は、基本的に、図１に示す２つのインターフェーススイッチ２ＧＩＦおよび３ＧＩＦによって行われる。第１システム２Ｇから第２システム３Ｇへのハンドオーバの場合、インターフェース２ＧＩＦは、いわゆるインターワーキングファンクション（Ｉｎｔｅｒ−Ｗｏｒｋｉｎｇ  Ｆｕｎｃｔｉｏｎ、ＩＷＦ）の形で行われる。他のインターフェース３ＧＩＦは、基本的にトランスコーダ（ｔｒａｎｓｃｏｄｅｒ、ＴＣ）内に存在する。
【００３７】
しかし、本発明は、マルチモード可能の無線加入者ユニットのハンドオーバに限定されない。むしろ、本発明による方法と装置は、異なったシステム間のいかなるタイプのデータ伝送にも使用することができる。
【図面の簡単な説明】
【図１】  ２つの連結された移動体無線システムと、ハンドオーバされる１つの加入者ユニットを示す図である。
【図２】  本発明によるハンドオーバ間のデータ伝送のための方法のフローチャートを示す図である。
【図３Ａ】  透過的なデータ伝送のために複製されたデータフレームワークの構成を示す図である。
【図３Ｂ】  透過的なデータ伝送のために複製されたデータフレームワークの構成を示す図である。
【図４】  非透過的なデータ伝送のためのデータフレームワークの構成を示す図である。
【図１】
0004786845.tif 000002
【図２】
0004786845.tif 000003
【図３Ａ】
0004786845.tif 000004
【図３Ｂ】
0004786845.tif 000005
【図４】
0004786845.tif 000006